(57)【要約】  コイル（Ｃ）の横揺れを抑え、かつ、小型化を図った美容装置（１）を提供する。  美容装置（１）においては、パフ（２）がコイルボビン（５）の振動によって振動する。コイルボビン（５）は、磁気回路（４）によって駆動されるコイル（Ｃ）を支持し、連結部材（６）を介して蝶ダンパ（７）により振動可能に支持されている。このとき、蝶ダンパ（７）と連結部材（６）との接続部は、コイル（Ｃ）の高さ方向両端間の高さに位置している。
2015019408.tif 000002
【特許請求の範囲】
【請求項１】
磁気ギャップを含む磁気回路と、
前記磁気回路によって駆動されるコイルと、
前記コイルを支持する支持部材と、
前記支持部材に連結されている連結部材と、
前記連結部材を介して前記支持部材を支持するダンパと、
前記支持部材の振動によって振動する接触部材と、を有し、
前記ダンパと前記連結部材との接続部は、前記コイルの高さ方向両端間の高さに位置することを特徴とする美容装置。
【請求項２】
前記ダンパの内周部は、前記磁気回路に接続されていることを特徴とする請求項１に記載の美容装置。
【請求項３】
前記磁気回路は磁石とプレートとヨークを含み、
前記磁石の一極が前記プレートに磁気的に結合され、
前記磁石の他極が前記ヨークに磁気的に結合された内磁型磁気回路であり、
前記ダンパは前記ヨークに接続されていることを特徴とする請求項２に記載の美容装置。
【請求項４】
当該美容装置の非駆動状態において、前記コイルの一部または全部が、前記磁気ギャップ内に位置していることを特徴とする請求項３に記載の美容装置。
【請求項５】
当該美容装置の非駆動状態において、前記コイルの高さ方向の中心は、前記磁気ギャップの前記高さ方向の中心よりも前記接触部材側に位置していることを特徴とする請求項３に記載の美容装置。
【請求項６】
当該美容装置の非駆動状態において、前記コイルは、前記磁気ギャップ外に位置していることを特徴とする請求項３に記載の美容装置。
【請求項７】
当該美容装置の非駆動状態において、前記ダンパと前記連結部材との接続部は、前記磁気ギャップの前記高さ方向の両端間の高さに位置することを特徴とする請求項３に記載の美容装置。
【請求項８】
当該美容装置の非駆動状態において、前記ダンパと前記連結部材との前記接続部は、前記磁気ギャップの前記高さ方向の中心よりも前記接触部材側にあることを特徴とする請求項３に記載の美容装置。
【請求項９】
当該美容装置の非駆動状態において、前記ダンパと前記連結部材との前記接続部は、前記磁気ギャップの前記高さ方向の前記接触部材側端部よりも前記接触部材側にあることを特徴とする請求項３に記載の美容装置。
【請求項１０】
当該美容装置の非駆動状態において、前記ダンパの内周部と前記ダンパの外周部との前記高さ方向における位置が異なることを特徴とする請求項３に記載の美容装置。
【請求項１１】
前記連結部材は、前記支持部材を支持する板状の支持部と、前記支持部から前記磁気回路側に向かって立設された筒状の壁部と、を含み、
前記ダンパの外周部は前記壁部に接続されていることを特徴とする請求項３に記載の美容装置。
【請求項１２】
前記連結部材は、前記支持部材以上の剛性を有することを特徴とする請求項１１に記載の美容装置。
【請求項１３】
前記連結部材は、前記接触部材を直接または他の部材を介して支持していることを特徴とする請求項１１に記載の美容装置。
【請求項１４】
前記連結部材と前記接触部材とが一体に形成されていることを特徴とする請求項１１に記載の美容装置。
【請求項１５】
前記ダンパはその内周部から外周部にかけて複数の腕部が伸びる蝶ダンパであることを特徴とする請求項３に記載の美容装置。
【請求項１６】
当該美容装置の非駆動状態において、前記蝶ダンパは、前記コイルの高さ方向の中心と略同じ高さに位置することを特徴とする請求項１５に記載の美容装置。
【請求項１７】
前記磁気ギャップ内に磁性流体が配置されていることを特徴とする請求項３に記載の美容装置。
【請求項１８】
前記コイルに駆動電流が流れる状態において、前記接触部材に加えられる力に応じて前記接触部材が振動する振幅が異なることを特徴とする請求項３に記載の美容装置。
【請求項１９】
前記コイルに駆動電流が流れる状態において、前記接触部材に応力が作用しない場合は、前記接触部材は静止していることを特徴とする請求項１８に記載の美容装置。
【発明の詳細な説明】
【技術分野】
【０００１】
本発明は、美容装置に関するものである。
【背景技術】
【０００２】
上述した美容装置として、特許文献１のように、振動する振動部を肌に接触させて、肌をタッピングする皮膚美容装置が提案されている。特許文献１に示す皮膚美容装置は、振動部が肌に押し付けられるため、振動方向と垂直な力の成分を含む力が振動部に加わる。この力により、コイルが磁気ギャップ内で横揺れ（＝磁気ギャップの幅方向の揺れ）して、当該コイルが磁気回路に接触する虞がある。この問題を解決するために、特許文献１では、ダンパを２枚用いて、コイルが横揺れしないようにしている。
【先行技術文献】
【特許文献】
【０００３】
【特許文献１】特開２００５−７１６４号公報
【発明の概要】
【発明が解決しようとする課題】
【０００４】
しかしながら、上述した従来例では、コイルの横揺れを抑えるために、ダンパを２枚用いる必要があり、大型化する、という問題が一例として挙げられる。【０００５】
本発明は、このような問題点に対処することを課題の一例とするものである。即ち、本発明は、例えば、コイルの横揺れを抑え、かつ、小型化を図った美容装置を提供することを目的としている。
【課題を解決するための手段】
【０００６】
上記課題を解決するために、請求項１に記載の美容装置は、磁気ギャップを含む磁気回路と、前記磁気回路によって駆動されるコイルを支持する支持部材と、前記支持部材に連結されている連結部材と、前記連結部材を介して前記支持部材を支持するダンパと、前記支持部材の振動によって振動する接触部材と、を有し、前記ダンパと前記連結部材との接続部は、前記コイルの高さ方向両端間の高さに位置することを特徴とする。
【図面の簡単な説明】
【０００７】
【図１】本発明の美容装置の一実施例を示す側面図である。
【図２】図１のＩ−Ｉ線断面図である。
【図３】図１に示す美容装置の底面図である。
【図４】（Ａ）は、非駆動状態における図１に示す美容装置の概略半断面図であり、（Ｂ）は、パフが高さ方向に対して傾いた時の図１に示す美容装置の概略半断面図であり、（Ｃ）は、非駆動状態と、パフが斜めに傾いた時の、それぞれの図１に示す美容装置を構成するコイルボビンの動きを説明するための図である。
【図５】（Ａ）は、非駆動状態での比較例における美容装置の概略半断面図であり、（Ｂ）は、パフが高さ方向に対して傾いてコイルが磁気回路に接触したときの比較例における美容装置の概略半断面図であり、（Ｃ）は、非駆動状態と、パフが斜めに傾いてコイルが磁気回路に接触されたとき、それぞれの比較例における美容装置を構成するコイルボビンの動きを説明するための図である。
【図６】他の実施例における非駆動状態における美容装置の概略半断面図である。
【図７】他の実施例における非駆動状態における美容装置の概略半断面図である。
【図８】他の実施例における非駆動状態における美容装置の概略半断面図である。
【発明を実施するための形態】
【０００８】
以下、本発明の一実施形態にかかる美容装置を説明する。本発明の一実施形態にかかる美容装置は、磁気ギャップを含む磁気回路と、磁気回路によって駆動されるコイルと、コイルを支持する支持部材と、支持部材に連結されている連結部材と、連結部材を介して支持部材を支持するダンパと、支持部材の振動によって振動する接触部材と、を有し、ダンパと連結部材との接続部は、コイルの高さ方向両端間の高さに位置する。
【０００９】
接触部材に高さ方向（＝振動方向）と垂直な力の成分を含む力が加わると、支持部材及び連結部材はダンパと連結部材との接続部を支点として横揺れする。本実施形態では、上述したように接続部が、コイルの高さ方向両端間の高さに位置しているため、支点をコイルの近くに配置でき、複数のダンパを用いなくてもコイルが横揺れするのを抑えることができ、この美容装置の小型化を図ることができる。
【００１０】
また、ダンパの内周部は、磁気回路に接続されていてもよい。これにより、磁気回路によって支持部材を振動可能に支持することができる。
【００１１】
また、磁気回路は磁石とプレートとヨークを含み、磁石の一極がプレートに磁気的に結合され、磁石の他極が前記ヨークに磁気的に結合された内磁型磁気回路であり、ダンパはヨークに接続されていてもよい。このように内磁型磁気回路を用いることにより、この美容装置の小型化を図ることができる。
【００１２】
また、美容装置の非駆動状態において、コイルの一部または全部が、磁気ギャップ内に位置していてもよい。
【００１３】
また、美容装置の非駆動状態において、コイルの高さ方向の中心は、磁気ギャップの高さ方向の中心よりも接触部材側に位置していてもよい。これにより、美容装置を使用するために接触部材を肌に押し付けると、コイルが磁気回路側に移動して、コイルの高さ方向の中心と磁気ギャップの高さ方向の中心とが近づいて、この美容装置の使用時に効率的にコイルを駆動することができる。
【００１４】
また、美容装置の非駆動状態において、コイルは、磁気ギャップ外に位置していてもよい。これにより、美容装置の使用時に接触部材を肌に押し付けると、コイルが磁気回路側に移動して、コイルが磁気ギャップ内に配置されて、磁気回路によってコイルを駆動することができる。
【００１５】
また、美容装置の非駆動状態において、ダンパと連結部材との接続部は、磁気ギャップの高さ方向の両端間の高さに位置していてもよい。
【００１６】
また、美容装置の非駆動状態において、ダンパと連結部材との接続部は、磁気ギャップの高さ方向の中心よりも接触部材側にあってもよい。
【００１７】
また、美容装置の非駆動状態において、ダンパと連結部材との接続部は、磁気ギャップの高さ方向の接触部材側端部よりも接触部材側にあってもよい。
【００１８】
また、美容装置の非駆動状態において、ダンパの内周部とダンパの外周部との高さ方向における位置が異なっていてもよい。
【００１９】
また、連結部材は、支持部材を支持する板状の支持部と、支持部から磁気回路側に向かって立設された筒状の壁部と、を含み、ダンパの外周部は壁部に接続されていてもよい。これにより、簡単な構成で、ダンパと連結部材との接続部を、コイルの高さ方向両端間の高さに位置することができる。
【００２０】
また、連結部材は、支持部材以上の剛性を有していてもよい。
【００２１】
また、連結部材は、接触部を直接または他の部材を介して支持していてもよい。
【００２２】
また、連結部材と接触部材とが一体に形成されていてもよい。
【００２３】
また、ダンパはその内周部から外周部にかけて複数の腕部が伸びる蝶ダンパであってもよい。これにより、小型化を図ることができる。
【００２４】
また、美容装置の非駆動状態において、蝶ダンパは、コイルの高さ方向の中心と略同じ高さに位置していてもよい。
【００２５】
また、磁気ギャップ内に磁性流体が配置されていてもよい。この磁性流体によりコイルの磁気ギャップ内での横揺れをより一層、防ぐことができる。
【００２６】
また、コイルに駆動電流が流れる状態において、接触部材に加えられる力に応じて接触部材が振動する振幅が異なるようにしてもよい。これにより、接触部材に加える力により接触部材の振幅を調整できる。
【００２７】
また、コイルに駆動電流が流れる状態において、接触部材に応力が作用しない場合は、接触部材は静止しているようにしてもよい。これにより、接触部材を使用していないときは接触部材が振動することがない。
【実施例】
【００２８】
以下、本発明の美容装置を図１〜図３に基づいて説明する。図１は、本発明の美容装置の一実施例を示す側面図である。図２は、図１のＩ−Ｉ線断面図である。図３は、図１に示す美容装置の底面図である。【００２９】
同図に示すように、美容装置１は、肌に接触させる接触部材としてのパフ２と、このパフ２を振動させて肌をタッピングするための駆動装置３と、を備えている。駆動装置３は、ケース内に収容されているが、図１〜図３ではこのケースについては省略している。【００３０】
駆動装置３は、磁気ギャップＧを含む磁気回路４と、磁気回路４によって駆動されるコイルＣを支持する支持部材としてのコイルボビン５と、コイルボビン５に連結されている連結部材６と、連結部材６を介してコイルボビン５を支持する蝶ダンパ７と、を備えている。【００３１】
上記磁気回路４は、内磁型磁気回路であり、磁石４１と、磁石４１の一極が磁気的に結合されたプレート４２と、磁石４１の他極が磁気的に結合されたヨーク４３と、磁気ギャップＧと、を含んでいる。磁石４１は、円板状に設けられ、中央に貫通孔４１ａが設けられている。プレート４２は、円板状に設けられ、磁石４１のパフ２側（＝一極側）の面に重ねられる。このプレート４２にも、磁石４１の貫通孔４１ａと重なる貫通孔４２ａが設けられている。【００３２】
ヨーク４３は、磁石４１のパフ２から離れた側（＝他極側）の面に重ねられる底面部４３ａと、底面部４３ａの外縁からパフ２側に向かって立設する筒状のヨーク本体４３ｂと、から構成されている。底面部４３ａには、磁石４１の貫通孔４１ａと重なる貫通孔４３ｃが設けられている。これら磁石４１、プレート４２及びヨーク４３の貫通孔４１ａ、４２ａ、４３ｃに図示しないポールを挿入することにより、磁石４１、プレート４２及びヨーク４３の位置決め、固定をすることができる。上記ヨーク本体４３ｂは、プレート４２と対向する位置まで延在している。【００３３】
磁気ギャップＧは、プレート４２とヨーク本体４３ｂとの間に設けられるギャップであり、後述するコイルＣの高さ方向Ｙ１に貫通している。コイルＣの高さ方向Ｙ１とは、コイルＣの中心軸方向である。【００３４】
コイルボビン５は、筒状に設けられ、その外側面にコイルＣが巻かれている。コイルＣは、コイルボビン５に導線をらせん状に巻いて形成されていてもよいし、コイルボビン５にプリントして設けられていてもよい。このコイルボビン５の磁気回路４側の端部を磁気ギャップＧのパフ２側の開口から挿入して、コイルＣを磁気ギャップＧ内に配置する。この状態で、コイルＣを通電すると、コイルＣに高さ方向Ｙ１に振動する力が発生する。【００３５】
連結部材６は、例えば樹脂などコイルボビン５と同等以上の剛性を有する材料から形成され、コイルボビン５のコイルＣよりも磁気回路４から離れた側を支持する板状の支持部６１と、支持部６１から磁気回路４側に向かって立設された筒状の壁部６２と、を一体に含む。支持部６１は、本実施例では、図３に示すように、磁気回路４側から見て長方形の角を丸くした形状に設けられ、図２に示すように、コイルボビン５の磁気回路４から離れた側の端部を挿入する挿入孔６１ａが設けられている。【００３６】
コイルボビン５の磁気回路４から離れた側の端部は、この挿入孔６１ａの内周面に例えば接着により固定されている。また、支持部６１の磁気回路４から離れた側の面にパフ２が直接、支持されている。上記壁部６２は、上述した長方形状の支持部６１の短手方向長さとほぼ同じ直径の円筒に設けられている。【００３７】
蝶ダンパ７は、その外周部７１が壁部６２に接続されて固定され、その内周部７２がヨーク本体４３ｂに接続されて固定されている。この蝶ダンパ７と壁部６２、蝶ダンパ７とプレート４２の固定は、接着材などを用いて行われる。蝶ダンパ７は、例えば樹脂などから構成され、リング状の内周部７２と、リング状の外周部７１と、これら内周部７２から外周部７１にかけて伸びる腕部７３と、が設けられている。この蝶ダンパ７により、コイルＣを高さ方向Ｙ１に振動可能に支持することができる。【００３８】
次に、上述したコイルＣ、磁気ギャップＧ、蝶ダンパ７の位置関係について図４を参照して説明する。図４（Ａ）は、非駆動状態における図１に示す美容装置の概略半断面図であり、図４（Ｂ）は、パフ２が高さ方向に対して傾いて接触したときの図１に示す美容装置１の概略半断面図である。なお、この図ではコイルＣを省略している。図４（Ｃ）は、非駆動状態と、パフ２が斜めに傾いて接触されたとき、それぞれの図１に示す美容装置を構成するコイルボビンの動きを説明するための図であり、非駆動状態のコイルボビン５を実線で示し、パフ２が斜めに傾いたときのコイルボビン５を点線で示している。ここで、非駆動状態とは、コイルＣに駆動電流も流れておらず、かつ、パフ２に何ら応力が作用していない状態（＝パフ２が肌に押し付けられていない状態）を言う。【００３９】
同図に示すように、上述した蝶ダンパ７と壁部６２との接続部Ｓは、コイルＣの高さ方向Ｙ１両端間の高さに位置する。接続部Ｓとは、蝶ダンパ７の壁部６２から立ち上がっている部分であり、後述する横揺れの支点Ｐとなる部分である。【００４０】
また、美容装置１の非駆動状態において、コイルＣの全部が、磁気ギャップＧ内に位置している。詳しく説明すると、美容装置１の非駆動状態において、コイルＣの高さ方向Ｙ１の中心Ｃ１と、磁気ギャップＧの高さ方向Ｙ１の中心Ｃ２と、蝶ダンパ７と、が略同じ高さに位置している。当然、美容装置１の非駆動状態において、蝶ダンパ７と壁部６２との接続部Ｓも、磁気ギャップＧの高さ方向Ｙ１両端間の高さに位置している。【００４１】
次に、上述した実施例における美容装置１の動作について説明する。まず、コイルＣに電流を流すと、コイルＣが高さ方向Ｙ１に振動し、パフ２が振動する。この状態で、パフ２を肌に接触させると、パフ２が肌をタッピングする。【００４２】
このとき、パフ２が高さ方向Ｙ１と垂直に肌と接触していれば、図４（Ａ）に示すように、コイルＣが傾くことなく振動する。これに対して、パフ２が高さ方向Ｙ１に対して傾いて肌と接触し、パフ２に高さ方向と垂直な力の成分を持つ力が加わると、図４（Ｂ）に示すように、コイルＣが磁気ギャップＧ内で傾く。本実施例では、上述したように蝶ダンパ７と壁部６２との接続部Ｓを、コイルＣの高さ方向Ｙ１両端間の高さに位置させているため、複数のダンパを用いなくてもコイルＣに発生する横揺れを抑えることができ、この美容装置１の小型化を図ることができる。【００４３】
この理由について以下、詳しく説明する。まず、本実施例について説明する前に、比較例について図５を参照して説明する。図５（Ａ）は、非駆動状態における比較例における美容装置の概略半断面図であり、図５（Ｂ）は、パフ２が高さ方向に対して傾いたときの比較例における美容装置１の概略半断面図である。なお、この図ではコイルＣを省略している。図５（Ｃ）は、非駆動状態及びパフ２が斜めに傾いたとき、それぞれの比較例における美容装置を構成するコイルボビンの動きを説明するための図であり、非駆動状態のコイルボビン５を実線で示し、パフ２が斜めに傾いたときのコイルボビン５を点線で示している。【００４４】
同図に示すように、比較例では、本実施例と異なり、連結部材６がなく、コイルボビン５のコイルＣよりも磁気回路４から離れた側が蝶ダンパ７により支持されている。同図（Ｃ）に示すように、コイルボビン５のパフ２側を力点Ｅ、コイルＣを作用点Ｗとすると、蝶ダンパ７とコイルボビン５との接続部Ｓが支点Ｐとなる。同図（Ｂ）に示すように、力点Ｅに加えられた高さ方向Ｙ１に対して傾いた力Ｆは、高さ方向Ｙ１と平行な力の成分Ｆｙ１とＦｙ１とは垂直な力の成分Ｆｘを持つ。このＦｘを含む力Ｆが力点Ｅに加えられることによって、同図（Ｃ）中点線で示すように、力点Ｅの位置が変位する。そして、支点Ｐを支点とした梃子の原理によって、作用点Ｗが変位する。図５に示す比較例では、作用点ＷであるコイルＣと支点Ｐである接続部Ｓとが高さ方向Ｙ１に並べられている。支点Ｐと作用点Ｗとが離れているために、力点Ｅの変位が作用点Ｗに伝わる。そして、図５（Ｂ）に示すように、コイルＣが磁気ギャップＧ内で大きく横揺れし、コイルＣが磁気回路４の一部に接触する可能性がある。【００４５】
これに対して、本発明では、接続部ＳをコイルＣの高さ方向Ｙ１両端間の高さに位置している。本発明でも比較例と同様、図４（Ｂ）に示すように、力点Ｅに加えられた高さ方向Ｙ１に対して傾いた力Ｆは、高さ方向Ｙ１と平行な力の成分Ｆｙ１と、Ｆｙ１とは垂直な力の成分Ｆｘを持つ。このＦｘを含む力Ｆが力点Ｅに加えられることによって、図４（Ｃ）中、点線で示すように力点Ｅの位置が変位する。しかし本発明では、図４（Ｃ）に示すように、支点Ｐ（＝接続部Ｓ）と作用点Ｗ（＝コイルＣ）とがほぼ同じ高さに構成されているので、点線で示す力点Ｅの変位が作用点ＷであるコイルＣに伝わりにくい。このため、コイルＣの磁気ギャップＧ内での横揺れを比較例と比べて小さくすることができ、コイルＣが磁気回路４の一部に接触するのを防ぐことができる。この場合、連結部材６がコイルボビン５と同等以上の剛性を有する部材であることが望ましい。この場合、連結部材６の壁部６２（支点Ｐを含む部分）と、コイルボビン５がほぼ同じ動作になり、あたかも作用点Ｗの近くに支点Ｐがあるかのような動作をするからである。【００４６】
また、上述した実施例によれば、蝶ダンパ７の内周部７２が磁気回路４に接続されている。これにより、磁気回路４によってコイルボビン５を振動可能に支持することができる。【００４７】
また、上述した実施例によれば、磁気回路４として、内磁型磁気回路を用いている。これにより、小型化を図ることができる。【００４８】
また、上述した実施例によれば、連結部材６は、コイルボビン５を支持する板状の支持部６１と、支持部６１から磁気回路４側に向かう筒状の壁部６２と、を含み、蝶ダンパ７の外周部７１が壁部６２に接続されている。これにより、簡単な構成で、蝶ダンパ７と接続部Ｓを、コイルＣの高さ方向Ｙ１両端間の高さに位置することができる。【００４９】
また、上述した実施例によれば、ダンパとして蝶ダンパ７を用いることにより、小型化を図ることができる。【００５０】
なお、上述した実施例によれば、ダンパとして蝶ダンパ７を用いていたが、これに限ったものではない。例えば、コルゲーションダンパであってもよい。【００５１】
また、上述した実施例によれば、接触部材としてはパフ２を用いていたが、これに限ったものではない。接触部材としては、例えば樹脂など硬いものであってもよい。【００５２】
また、上述した実施例によれば、美容装置１の非駆動状態において、コイルＣの全部を磁気ギャップＧ内に配置していたが、これに限ったものではない。例えば、図６に示すように、美容装置１の非駆動状態において、コイルＣの一部だけを磁気ギャップＧ内に配置するようにしてもよい。図６に示す実施例では、コイルＣの高さ方向Ｙ１の中心Ｃ１は、磁気ギャップＧの高さ方向の中心Ｃ２よりもパフ２側に位置している。また、蝶ダンパ７と連結部材６との接続部Ｓは、磁気ギャップＧの高さ方向の中心Ｃ２よりもパフ２側にある。さらに、蝶ダンパ７と連結部材６との接続部Ｓは、コイルＣの高さ方向Ｙ１の両端間の高さに位置している。これにより、美容装置１を使用するためにパフ２を肌に押し付けると、コイルＣが磁気回路４側に移動して、コイルＣの高さ方向の中心と磁気ギャップＧの高さ方向の中心とが近づいて、効率的にコイルＣを駆動することができる。【００５３】
また、図６に示す実施例では、非駆動状態においては、コイルＣの全部ではなく、一部だけが磁気ギャップＧ内に挿入されている。このため、パフ２を肌に当てている状態においては、コイルＣが磁気ギャップＧ内へ挿入される長さは、パフ２への押圧力に応じる。即ち、パフ２が肌に強く押し当てられると、コイルＣが磁気ギャップＧへ挿入される長さが大きくなり、パフ２が肌に軽く押し当てられると、コイルＣが磁気ギャップＧへ挿入される長さが小さくなる。このため、コイルＣに駆動電流を流すと、パフ２が肌に強く押し当てられ、コイルＣが磁気ギャップＧに挿入される長さが大きいときは、コイルＣは大きく振幅し、パフ２が肌に軽く押し当てられ、挿入される長さが小さいときは、コイルＣは小さく振幅する。即ち、パフ２に加えられる力に応じてパフ２が振動する振幅が異なり、この美容装置１の使用者がパフ２に加える力によりパフ２の振幅を調整できる。【００５４】
また、上述した実施例によれば、美容装置１の非駆動状態において、コイルＣの全部が磁気ギャップＧ内に位置していたが、これに限ったものではない。図７に示すように、美容装置１の非駆動状態において、コイルＣの全部が磁気ギャップＧ外に配置されていてもよい。このとき、蝶ダンパ７と連結部材６の接続部Ｓは、磁気ギャップＧの高さ方向Ｙ１のパフ２側の端部よりもパフ２側にある。さらに、蝶ダンパ７と連結部材６との接続部Ｓは、コイルＣの高さ方向Ｙ１の両端間の高さに位置している。また、蝶ダンパ７の外周部７１及び内周部７２の高さ方向の位置が異なっている。【００５５】
これにより、美容装置１を使用するためにパフ２を肌に押し付けると、コイルＣが磁気回路４側に移動して、コイルＣが磁気ギャップＧ内に配置されて、コイルＣを駆動することができる。また、このようにすることにより、パフ２が肌に押し付けられておらず、応力が作用しない場合は、コイルＣは磁気ギャップＧ外にあり、コイルＣに駆動電流を流してもコイルＣは駆動しないので、パフ２を使用していないときはパフ２が振動することがない。【００５６】
また、上述した実施例によれば、パフ２は、連結部材６の支持部６１に直接パフ２が搭載され、支持していたが、これに限ったものではない。連結部材６としては、他の部材を介してパフ２を支持するようにしてもよい。【００５７】
また、上述した実施例によれば、連結部材６とパフ２とは別部材に設けていたが、これに限ったものではない。接触部材が、連結部材６と同じ材料のもので構成できれば、連結部材６と接触部材とを一体に形成するようにしてもよい。【００５８】
また、磁気ギャップＧ内に磁性流体を配置して、磁性流体によりコイルＣの磁気ギャップＧ内での横揺れをより一層、防ぐようにしてもよい。【００５９】
また、上述した実施例では、コイルボビン５の外側に壁部６２を設けて、その壁部６２に蝶ダンパ７を接続していたが、これに限ったものではない。図８に示すように、コイルボビン５の内側にポール状の壁部６２を設けて、その壁部６２に蝶ダンパ７を接続するようにしてもよい。【００６０】
また、前述した実施例は本発明の代表的な形態を示したに過ぎず、本発明は、実施形態に限定されるものではない。即ち、本発明の骨子を逸脱しない範囲で種々変形して実施することができる。
【符号の説明】
【００６１】
１  美容装置
２  パフ（接触部材）
４  磁気回路
５  コイルボビン（支持部材）
６  連結部材
７  蝶ダンパ（ダンパ）
４１  磁石
４２  プレート
４３  ヨーク
６１  支持部
６２  壁部
Ｃ  コイル
Ｇ  磁気ギャップ
Ｓ  接続部
Ｙ１  高さ方向
Ｆ  力点Ｅに加えられる力
【図１】
2015019408.tif 000003
【図２】
2015019408.tif 000004
【図３】
2015019408.tif 000005
【図４】
2015019408.tif 000006
【図５】
2015019408.tif 000007
【図６】
2015019408.tif 000008
【図７】
2015019408.tif 000009
【図８】
2015019408.tif 000010
【手続補正書】
【提出日】平成28年1月7日(2016.1.7)
【手続補正１】
【補正対象書類名】明細書
【補正対象項目名】０００６
【補正方法】変更
【補正の内容】
【０００６】
上記課題を解決するために、請求項１に記載された美容装置は、肌に接触させる接触部材と、当該接触部材を振動させる駆動装置とを備え、前記駆動装置は、磁気ギャップを有する磁気回路と、コイルと、当該コイルを支持する筒状の支持部材と、連結部材と、ダンパとを備え、前記連結部材は、前記支持部材を支持する板状の支持部と、当該支持部から前記磁気回路側に向かう筒状の壁部とを備え、前記ダンパの外周部は前記筒状の壁部に接続され、前記ダンパの内周部は前記磁気回路に接続され、前記ダンパの外周部の高さは、前記コイルの両端の間にあることを特徴とする。
【手続補正２】
【補正対象書類名】特許請求の範囲
【補正対象項目名】全文
【補正方法】変更
【補正の内容】
【特許請求の範囲】
【請求項１】
肌に接触させる接触部材と、当該接触部材を振動させる駆動装置とを備え、
前記駆動装置は、磁気ギャップを有する磁気回路と、コイルと、当該コイルを支持する筒状の支持部材と、連結部材と、ダンパとを備え、
前記連結部材は、前記支持部材を支持する板状の支持部と、当該支持部から前記磁気回路側に向かう筒状の壁部とを備え、
前記ダンパの外周部は前記筒状の壁部に接続され、
前記ダンパの内周部は前記磁気回路に接続され、
前記ダンパの外周部の高さは、前記コイルの両端の間にあることを特徴とする美容装置。
【請求項２】
前記磁気回路は磁石とプレートとヨークを含み、
前記磁石の一極が前記プレートに磁気的に結合され、
前記磁石の他極が前記ヨークに磁気的に結合された内磁型磁気回路であり、
前記ダンパは前記ヨークに接続されていることを特徴とする請求項１に記載の美容装置。
【請求項３】
当該美容装置の非駆動状態において、前記コイルの一部または全部が、前記磁気ギャップ内に位置していることを特徴とする請求項２に記載の美容装置。
【請求項４】
当該美容装置の非駆動状態において、前記コイルの高さ方向の中心は、前記磁気ギャップの前記高さ方向の中心よりも前記接触部材側に位置していることを特徴とする請求項２に記載の美容装置。
【請求項５】
当該美容装置の非駆動状態において、前記コイルは、前記磁気ギャップ外に位置していることを特徴とする請求項２に記載の美容装置。
【請求項６】
当該美容装置の非駆動状態において、前記ダンパの外周部の高さは、前記磁気ギャップの高さ方向の両端の間にあることを特徴とする請求項２に記載の美容装置。
【請求項７】
当該美容装置の非駆動状態において、前記ダンパの外周部の高さは、前記磁気ギャップの前記高さ方向の中心よりも前記接触部材側にあることを特徴とする請求項２に記載の美容装置。
【請求項８】
当該美容装置の非駆動状態において、前記ダンパの外周部の高さは、前記磁気ギャップの前記高さ方向の前記接触部材側端部よりも前記接触部材側にあることを特徴とする請求項２に記載の美容装置。
【請求項９】
当該美容装置の非駆動状態において、前記ダンパの内周部と前記ダンパの外周部との前記高さ方向における位置が異なることを特徴とする請求項２に記載の美容装置。
【請求項１０】
前記連結部材は、前記支持部材以上の剛性を有することを特徴とする請求項１に記載の美容装置。
【請求項１１】
前記連結部材は、前記接触部材を直接または他の部材を介して支持していることを特徴とする請求項１に記載の美容装置。
【請求項１２】
前記連結部材と前記接触部材とが一体に形成されていることを特徴とする請求項１に記載の美容装置。
【請求項１３】
前記ダンパはその内周部から外周部にかけて複数の腕部が伸びる蝶ダンパであることを特徴とする請求項２に記載の美容装置。
【請求項１４】
当該美容装置の非駆動状態において、前記蝶ダンパは、前記コイルの高さ方向の中心と略同じ高さに位置することを特徴とする請求項１３に記載の美容装置。
【請求項１５】
前記磁気ギャップ内に磁性流体が配置されていることを特徴とする請求項２に記載の美容装置。
【請求項１６】
前記コイルに駆動電流が流れる状態において、前記接触部材に加えられる力に応じて前記接触部材が振動する振幅が異なることを特徴とする請求項２に記載の美容装置。
【請求項１７】
前記コイルに駆動電流が流れる状態において、前記接触部材に応力が作用しない場合は、前記接触部材は静止していることを特徴とする請求項１６に記載の美容装置。
【手続補正書】
【提出日】平成28年11月22日(2016.11.22)
【手続補正１】
【補正対象書類名】明細書
【補正対象項目名】０００６
【補正方法】変更
【補正の内容】
【０００６】
上記課題を解決するために、請求項１に記載の美容装置は、肌に接触させる接触部材と、当該接触部材を振動させる駆動装置とを備えた美容装置であって、前記駆動装置は、磁気ギャップを有する磁気回路と、コイルと、当該コイルを支持する筒状の支持部材と、連結部材と、ダンパとを備え、前記連結部材は、前記支持部材を支持する板状の支持部と、当該支持部から前記磁気回路側に向かう筒状の壁部とを備え、前記ダンパの外周部は前記筒状の壁部に接続され、前記ダンパの内周部は前記磁気回路に接続され、前記ダンパの外周部の高さは、前記コイルの両端の間にあり、前記磁気回路は磁石とプレートとヨークを含み、前記磁石の一極が前記プレートに磁気的に結合され、前記磁石の他極が前記ヨークに磁気的に結合された内磁型磁気回路であり、前記ダンパは前記ヨークに接続され、当該美容装置の非駆動状態において、前記コイルは、前記磁気ギャップ外に位置していることを特徴とする。
【手続補正２】
【補正対象書類名】特許請求の範囲
【補正対象項目名】全文
【補正方法】変更
【補正の内容】
【特許請求の範囲】
【請求項１】
肌に接触させる接触部材と、当該接触部材を振動させる駆動装置とを備えた美容装置であって、
前記駆動装置は、磁気ギャップを有する磁気回路と、コイルと、当該コイルを支持する筒状の支持部材と、連結部材と、ダンパとを備え、
前記連結部材は、前記支持部材を支持する板状の支持部と、当該支持部から前記磁気回路側に向かう筒状の壁部とを備え、
前記ダンパの外周部は前記筒状の壁部に接続され、
前記ダンパの内周部は前記磁気回路に接続され、
前記ダンパの外周部の高さは、前記コイルの両端の間にあり、
前記磁気回路は磁石とプレートとヨークを含み、
前記磁石の一極が前記プレートに磁気的に結合され、
前記磁石の他極が前記ヨークに磁気的に結合された内磁型磁気回路であり、
前記ダンパは前記ヨークに接続され、
当該美容装置の非駆動状態において、前記コイルは、前記磁気ギャップ外に位置していることを特徴とする美容装置。
【請求項２】
肌に接触させる接触部材と、当該接触部材を振動させる駆動装置とを備えた美容装置であって、
前記駆動装置は、磁気ギャップを有する磁気回路と、コイルと、当該コイルを支持する筒状の支持部材と、連結部材と、ダンパとを備え、
前記連結部材は、前記支持部材を支持する板状の支持部と、当該支持部から前記磁気回路側に向かう筒状の壁部とを備え、
前記ダンパの外周部は前記筒状の壁部に接続され、
前記ダンパの内周部は前記磁気回路に接続され、
前記ダンパの外周部の高さは、前記コイルの両端の間にあり、
前記磁気回路は磁石とプレートとヨークを含み、
前記磁石の一極が前記プレートに磁気的に結合され、
前記磁石の他極が前記ヨークに磁気的に結合された内磁型磁気回路であり、
前記ダンパは前記ヨークに接続され、
当該美容装置の非駆動状態において、前記ダンパの内周部と前記ダンパの外周部との前記高さ方向における位置が異なることを特徴とする美容装置。
【請求項３】
肌に接触させる接触部材と、当該接触部材を振動させる駆動装置とを備え、
前記駆動装置は、磁気ギャップを有する磁気回路と、コイルと、当該コイルを支持する筒状の支持部材と、連結部材と、ダンパとを備え、
前記連結部材は、前記支持部材を支持する板状の支持部と、当該支持部から前記磁気回路側に向かう筒状の壁部とを備え、
前記ダンパの外周部は前記筒状の壁部に接続され、
前記ダンパの内周部は前記磁気回路に接続され、
前記ダンパの外周部の高さは、前記コイルの両端の間にあり、
前記磁気回路は磁石とプレートとヨークを含み、
前記磁石の一極が前記プレートに磁気的に結合され、
前記磁石の他極が前記ヨークに磁気的に結合された内磁型磁気回路であり、
前記ダンパは前記ヨークに接続され、
前記磁気ギャップ内に磁性流体が配置されていることを特徴とする美容装置。
【請求項４】
肌に接触させる接触部材と、当該接触部材を振動させる駆動装置とを備え、
前記駆動装置は、磁気ギャップを有する磁気回路と、コイルと、当該コイルを支持する筒状の支持部材と、連結部材と、ダンパとを備え、
前記連結部材は、前記支持部材を支持する板状の支持部と、当該支持部から前記磁気回路側に向かう筒状の壁部とを備え、
前記ダンパの外周部は前記筒状の壁部に接続され、
前記ダンパの内周部は前記磁気回路に接続され、
前記ダンパの外周部の高さは、前記コイルの両端の間にあり、
前記磁気回路は磁石とプレートとヨークを含み、
前記磁石の一極が前記プレートに磁気的に結合され、
前記磁石の他極が前記ヨークに磁気的に結合された内磁型磁気回路であり、
前記ダンパは前記ヨークに接続され、
前記コイルに駆動電流が流れる状態において、前記接触部材に加えられる力に応じて前記接触部材が振動する振幅が異なり、
前記コイルに駆動電流が流れる状態において、前記接触部材に応力が作用しない場合は、前記接触部材は静止していることを特徴とする美容装置。
【国際調査報告】
2015019408.tif 000011
2015019408.tif 000012
2015019408.tif 000013
2015019408.tif 000014